(57)【要約】      （修正有）【課題】優れた吸水性と良好な感触を確保しながら洗濯・乾燥に要する手間・コストを軽減できる水廻りマットを提供する。【解決手段】濡れた利用者から落ちる水分を受け止める上層マット２と、この上層マットの下面側に上面を密着するように配置され同一面積当たりの保水量が上層マットよりも大きい下層マット３とを備え、上層マットの保水量を超えた部分を下層マットが吸収して保水する水廻りマット１Ａにおいて、下層マットを、上層マットの下面所定位置にその周縁側一部分を縫製により接続し、縫製部３１を除く総ての部分が上層マットの下面に対し開閉動作可能なものとした。【選択図】図１
0003192357.tif 000002
【実用新案登録請求の範囲】
【請求項１】
濡れた利用者から落ちる水分を受け止める上層マットと、該上層マットの下面側に上面を密着するように配置され同一面積当たりの保水量が前記上層マットよりも大きい下層マットとを備えて、前記上層マットの保水量を超えた部分を前記下層マットが吸収して保水する水廻りマットにおいて、前記下層マットは、前記上層マットの下面所定位置にその周縁側一部分を接続されて該接続した部分を除く総ての部分が前記上層マットの下面に対し開閉動作可能とされている、ことを特徴とする水廻りマット。
【請求項２】
前記下層マットは、少なくとも上面がマイクロファイバーで構成された生地からなる、ことを特徴とする請求項１に記載した水廻りマット。
【請求項３】
前記下層マットは、少なくとも上面が前記マイクロファイバーで構成された生地からなる袋状部材に合成樹脂製スポンジによる所定厚さの吸水手段を内装してなるものである、ことを特徴とする請求項２に記載した水廻りマット。
【請求項４】
前記下層マットは、所定の布材からなる袋状部材に所定厚さの繊維構成体からなる吸水シートを内装してなるものである、ことを特徴とする請求項１に記載した水廻りマット。
【請求項５】
前記上層マットは平面視長方形とされ、前記下層マットは前記上層マットよりも小さな平面視長方形のものとされており、前記下層マットが、配置状態で前記上層マットの下に完全に隠れる状態にてその長辺側の１つが前記上層マット下面に接続されている、ことを特徴とする請求項１，２，３または４に記載した水廻りマット。
【考案の詳細な説明】
【技術分野】
【０００１】
本考案は、脱衣所の浴室出入り口付近やサウナの着座部分等の濡れやすい水廻り位置に配置され、その上に乗った入浴者から落ちる水分を吸水する機能を有した水廻りマットに関する。
【背景技術】
【０００２】
入浴施設の浴室出入り口付近には、入浴者の濡れた足裏を拭きながら体から落ちる水滴を受け止めて脱衣所の床を濡らさないようにする足拭きマットが配置されている。また、サウナ施設においても、着座部分が濡れていると座る際に熱く感じるとともに不衛生なイメージを与えることから、利用者の体から落ちる水分を吸収するサウナマットが配置されるのが一般的である。
【０００３】
このように濡れやすい位置に配置される水廻りマットは、利用者の触れる表面部分が濡れていると不快な感触を与えてしまうため、例えば特開２０００−１６７１５３号公報に見られるように、吸水性の高い部分とこれよりも吸水性が低く撥水性の高い部分とを適宜配置して、所定の吸水性を確保しながら表面は乾いた感触を確保できるようにしたものも普及している。
【０００４】
しかし、多人数が利用する公共の入浴施設では、短時間で水廻りマットの保水機能を超えて表面が濡れた状態になりやすいことから、利用者の快適さを維持するためにはマットの頻繁な交換作業を要するとともに、その洗濯・乾燥作業にも手間と費用を要する結果、施設における管理・運営コストの高騰に繋がるという問題がある。
【０００５】
この問題に対し、特開２０００−３１６７０３号公報には、保水性の小さな非保水層の下に吸水性・保水性に富む保水層を備えて、比較的多量の水分を保水しながら表面が乾いた感触を維持しやすいものとした水廻りマットが提案されており、このように内部側に保水層を設けてその保水能力を高めたことで、表面の乾いた感触を長時間に亘って確保可能としている。
【０００６】
しかしながら、内部側又は下層側で多量に保水する方式の水廻りマットは、多量に水分を含む部分が内部又は裏側に存在することで乾燥しにくい構造であるため、乾燥作業に長時間を要して燃料や電力を多量に消費して、洗濯コスト（リネンコスト）が過大になりやすいという難点がある。そこで、非保水層部分と保水層部分とを分離可能なものとして、洗濯・乾燥の際に２つに分離して洗浄と乾燥を行うことも考えられる。
【０００７】
ところが、大型施設における水廻りマットの洗濯は、外部のリネン業者やクリーニング業者に委託して行うのが通常であり、１枚のマットを２枚のマットに分けることで２枚分の料金を請求されてしまうケースも多い。また、このようにマットを結合・分離可能とすることは、その結合・分離作業自体に手間を要して管理・運営コストの低廉化を実現しにくくしてしまう。
【先行技術文献】
【特許文献】
【０００８】
【特許文献１】特開２０００−１６７１５３号公報
【特許文献２】特開２０００−３１６７０３号公報
【考案の概要】
【考案が解決しようとする課題】
【０００９】
本考案は、上記のような問題を解決しようとするものであり、浴場やサウナ施設等で用いる水廻りマットについて、優れた吸水性と良好な感触を確保しながら洗濯・乾燥に要する手間・コストを軽減できるようにすることを課題とする。
【課題を解決するための手段】
【００１０】
そこで、本考案は、濡れた利用者から落ちる水分を受け止める上層マットと、この上層マットの下面側に上面を密着するように配置され同一面積当たりの保水量が上層マットよりも大きい下層マットとを備えて、上層マットの保水量を超えた部分を下層マットが吸収して保水する水廻りマットにおいて、前記下層マットは、上層マットの下面所定位置にその周縁側一部分を接続されてその接続部分を除く総ての部分が上層マットの下面に対し開閉動作可能とされている、ことを特徴とするものとした。
【００１１】
即ち、上層マットの乾いた感触を維持するために保水量の大きな下層マットを上層マットの下側に固定した場合には、その乾燥に長時間を要してしまうところ、本考案において下層マットを上層マットの下面側に開閉可能な状態にて取り付けたことにより、洗濯作業の際に下層マットの上面側と上層マットの下面側が露出してその洗浄が容易になることに加え、乾燥機による乾燥作業の際に保水量の大きな部分が表面積を大きくしながら開閉動作を行うため、極めて優れた乾燥性を発揮するものとなる。
【００１２】
また、この水廻りマットにおいて、その下層マットを、その少なくとも上面がマイクロファイバーで構成された生地からなることを特徴としたものとすれば、上層マットから下層マットへの水分移行性に極めて優れるとともに、その上面を介した乾燥性にも優れたものとなり、この場合、その下層マットを、少なくとも上面がマイクロファイバーで構成された生地からなる袋状部材に合成樹脂製スポンジによる所定厚さの吸水シートを内装してなるものとすれば、人が踏む動作によるスポンジのポンプ機能で上層マットから下層マットへの水分の移行性に一層優れたものとなり、且つ、マイクロファイバーの生地でスポンジの少なくとも上面を覆ったことで、その乾燥性に一層優れたものとなる。
【００１３】
或いは、その下層マットを、所定の布材からなる袋状部材に所定厚さの繊維構成体からなる吸水シートを内装してなることを特徴としたものとすれば、耐久性と乾燥性のバランスに優れたものとなる。
【００１４】
さらにまた、上述した水廻りマットにおいて、前記上層マットは平面視長方形とされ、前記下層マットは前記上層マットよりも小さな平面視長方形のものとされており、その下層マットが、配置状態で上層マットの下に完全に隠れる状態にてその長辺側の１つが上層マット下面に接続されている、ことを特徴としたものとすれば、その使用時に下層マットが上層マットの下に完全に収まって外観上好ましいものとなり、且つ、その乾燥時には下層マットの長辺側が接続されていることで耐久性と乾燥性の両方に優れたものとなる。
【考案の効果】
【００１５】
保水量の大きな下層マットを上層マットの下面側に開閉可能な状態で取り付けた本考案によると、優れた吸水性と良好な感触を確保しながら洗濯・乾燥に要する手間とコストを大きく軽減できるものである。
【図面の簡単な説明】
【００１６】
【図１】（Ａ）は本考案における第１の実施の形態の水廻りマットの正面図、（Ｂ）は（Ａ）の水廻りマットを裏返しにして置いた状態の斜視図
【図２】図１（Ｂ）の状態から下層マットを開いた状態を示す斜視図である。
【図３】図１（Ｂ）のＸ−Ｘ線に沿う拡大した部分断面図である。
【図４】本考案において上層マットから下層マットへの吸水速度の試験結果を示すグラフである。
【図５】本考案における第２の実施の形態の水廻りマットの図面代用写真である。
【図６】図５の状態から下層マットの一部を開いた状態を示す図面代用写真である。
【図７】図５の水廻りマットの下層マットから繊維構成体の一部を引き出した状態を示す図面代用写真である。
【考案を実施するための形態】
【００１７】
以下に、図面を参照しながら本考案を実施するための形態を説明する。尚、本考案において、マイクロファイバーとは８μｍ以下の細さの合成繊維を指している。
【００１８】
図１（Ａ）は、本考案における第１の実施の形態である水廻りマット１Ａの正面図、（Ｂ）は（Ａ）の水廻りマット１Ａを裏返しにした状態の斜視図を示している。本実施の形態の水廻りマット１Ａは、入浴施設の脱衣所において浴室出入り口付近の床面に配置される足拭きマットとしての使用を想定したものである。
【００１９】
この水廻りマット１Ａは、風呂上がりで体の濡れた利用者が足裏を拭くとともにその体から落ちる水滴を受け止める上層マット２と、その下面側に上面を密着するように配置され同一面積当たりの保水量が上層マット２よりも大きな下層マット３を備えており、利用者が触れる上層マット２の保水量を超えた部分を下層マット３が吸収して保水することにより、上層マット２の表面の乾いた感触が比較的長時間に亘って維持可能なものとしている。
【００２０】
その上層マット２及び下層マット３はともに平面視長方形に形成され、下層マット３が上層マット２よりも小さいことにより、配置状態で上層マット２の下に完全に隠れるようになっている。また、下層マット３は、図１（Ｂ）に示すように、上層マット２下面の所定位置にその周縁側の一部分である長辺側を縫製部３１で接続され、この縫製部３１を除く総ての部分が上層マット２の下面に対し開閉動作可能とされており、この点が本考案における最大の特徴部分となっている。
【００２１】
図２は、水廻りマット１Ａを裏返しにした図１（Ｂ）の状態から、下層マット３を上向きに開いた状態を示している。その下層マット３は、図１（Ａ）に示したように、吸水シート３ａとその下面側を覆う保形シート３ｂで構成されており、吸水機能に優れた吸水シート３ａが、保形機能・滑り止め機能・耐久性に優れた保形シート３ｂの上面に縫い付けられて固定され、その１長辺側が上層マット２の下面に縫製により固定されて縫製部３１とされたことにより、折り曲げ線３ｄの位置で折り曲げられて上層マット２の下面に対し開閉動作する構成となっている。
【００２２】
そのため、洗濯時の洗浄作業により下層マット３の吸水シート３ａが多量の水分を吸収した状態となっても、乾燥作業においてこの部分が開閉動作することから、上層マット２の下面と下層マット３の上下両面が露出するためその乾燥が促進されることになり、且つ、回転ドラム式等の乾燥機で乾燥させる場合は、この下層マット３が乾燥機の回転動作に伴って連続的に開閉動作を行うため、一層乾燥性に優れたものとなる。
【００２３】
図３は、図１（Ｂ）のＸ−Ｘ線に沿う縦断面図を部分的に拡大して示したものである（実際の使用状態とは上下逆向きになっている）。その上層マット２は、比較的太番手の糸を編織して構成され、表面の凹凸で乾いた感触を維持しやすい構造となっており、その下層マット３は、マイクロファイバーからなる生地を袋状に形成した袋体３０の中にウレタンフォーム等の合成樹脂製の面状スポンジ３ｃを内装してなる吸水シート３ａと、その下面側を覆うように配置された保形シート３ｂからなる。
【００２４】
即ち、下層マット３の上面の殆どは、マイクロファイバーによる袋体３０の上面で占められており、これが上層マット２の下面に密着する構成となっている。そのため、上層マット２に吸収された水分は、浸透圧による吸引力を発揮するマイクロファイバー製の生地に移行しやすくなっており、袋体３０上面側に移行した水分が内部の面状スポンジ３ｃに吸収されて保持されるものとしている。
【００２５】
また、このようにマイクロファイバー製の生地の下に面状スポンジ３ｃを配置した構成により、利用者が上層マット２を踏む動作に伴って面状スポンジ３ｃがポンプ機能を発揮することになり、マイクロファイバー製の袋体３０上面に浸透した水分が面状スポンジ３ｃに向かって能動的に移動するため、上層マット２の乾いた感触を一層維持しやすいものとしている。
【００２６】
次に、本実施の形態による作用・効果について、試験結果を参照しながらさらに詳細に説明する。
【実施例１】
【００２７】
［下層マット吸水速度試験］
上述した実施の形態における上層シート２から下層マット３への水分の移行性について、上層シート２の下面側に複数種類のシートを配置して吸水速度（水分移行性）試験を行い、上層シート２の下面に配置したマイクロファイバー生地の機能について検証した。
【００２８】
（上層マット）：アクリル１００％６番３本（アクリル番手）、ロープ中芯綿１００％（不織布）、サイズ４５０ｍｍ×５００ｍｍ
（下層マット）Ａ：合成樹脂スポンジ（１７ｍｍ厚）単独、Ｂ：防水シーツ単独（グンオウアパレル社製１．１ｍｍ厚）、Ｃ：マイクロファイバー薄手（ユニチカ社製０．３ｍｍ厚＋合成樹脂スポンジ５．０ｍｍ厚）、Ｄ：マイクロファイバー厚手（コネクト社製２．６ｍｍ厚＋合成樹脂スポンジ５．０ｍｍ厚）、いずれも４５０ｍｍ×５００ｍｍ
【００２９】
（試験方法）上層マットにジョウロで７００ｇの水を撒き、各下層マットの上に７００ｇ吸水した上層マットを重ね、その上を足で踏みつけて（毎秒１回）下層マットに吸水された量を測定した。その測定結果を図４のグラフに示す。
【００３０】
（試験結果）合成樹脂スポンジ単独（Ａ）と比べて他の３種類は上層マットの水分を速く吸水したが、特にマイクロファイバー厚手（Ｄ）は著しく、６０秒の比較では、合成樹脂スポンジ単独（Ａ）２５ｇ、防水シーツ単独（Ｂ）７１ｇ、マイクロファイバー薄手（Ｃ）６３ｇ、マイクロファイバー厚手（Ｄ）１５７ｇであった。また、マイクロファイバー厚手（Ｄ）については、これと組み合わせた合成樹脂スポンジの厚さがＡの３分の１以下であるのに対し、３００秒の時点でＡの３倍以上の吸水量を記録した。
【００３１】
以上の結果から、上層マットの下面側に配置する吸水用の下層マットは、合成樹脂スポンジの上にマイクロファイバーによる生地を配置してなるものが、その吸水速度、吸水量において優れていることが分かった。したがって、本考案の水廻りマットは、上層マットの乾いた感触の維持という観点において、極めて優れたものであると言える。
【００３２】
［乾燥試験］
図１の下層マット３の１辺が接続されて開閉する水廻りマット１Ａと、下層マット３の４辺総てを上層マット２の下面に縫い付けて上下を一体化させた点以外は水廻りマット１Ａと総て同一にした水廻りマット１Ｂを作成し、洗濯後に業務用乾燥機（回転ドラム式）において乾燥に要する時間（乾燥時と同重量になるまで）を測定した。尚、上層マットは前記試験と同様のものを７００ｍｍ×１３００ｍｍとし、下層マットは、厚さ１．０ｍｍのマイクロファイバー生地を袋状にしたものに、厚さ５．０ｍｍの合成樹脂スポンジを内装し（４５０ｍｍ×５００ｍｍ）その下面側にこれよりもやや大きな保形シート（メッシュ生地）を縫製したものを２枚並列配置したものとした。
【００３３】
（試験結果）乾燥温度８０度に設定してドラム式乾燥機を運転したところ、乾燥に要した時間は、上層マットと下層マットが一体化した水廻りマット１Ｂは３０分であったのに対し、下層マットが開閉可能な水廻りマット１Ａは２０分であった。
【００３４】
以上の試験結果から、下層マットに開閉機能を与えた水廻りマット１Ａは、開閉機能を有しない水廻りマット１Ｂの約３分の２の時間で乾燥することが分かった。したがって、本考案を用いることにより、長い時間と大量のエネルギーを要して洗濯コストの高騰に繋がりやすかった乾燥作業において、時間とエネルギーの大幅な削減が期待できるものである。
【００３５】
図５の図面代用写真は、本考案における第２の実施の形態である水廻りマットを示している。この水廻りマットは、上述した第１の実施の形態の水廻りマット１Ａと構成がほぼ共通しているものであるが、その下層マットを、所定の布材からなる袋状部材に繊維束又は不織布による所定厚さの繊維構成体による吸水シートを内装してなることを特徴としたものである。
【００３６】
具体的には、上述と同様に上層マットの下面側に下層マットが開閉可能に接続されているが、その下層マットは、比較的太番手のアクリル糸で構成された布材を袋状にしたものに、吸水シートとして面状スポンジの代わりに綿繊維の束からなる繊維構成体を長手方向が写真の左右方向になるように畝状に内装して、その幅に沿うように上下の布材を縫い合わせた構成となっている。
【００３７】
その繊維構成体は、写真の上下両端側は一筋置き、中央部は連続配置されており、縫い合わせた状態で繊維構成体の厚さが３．０ｍｍ以上となっている。また、図６の図面代用写真に示すように、本実施の形態の下層マットは、保形シートを有していないとともに、上層マットに密着する上面側も比較的太番手の糸による布材で構成されている。
【００３８】
これは、上述した水廻りマット１Ａにおいてその下層マットの上面がマイクロファイバーによる布材で構成されている関係で、水分の移行性には優れているものの、一緒に洗濯を行うものの材質によってはマイクロファイバー製の上面部分が摩擦により毛羽立ちや毛玉を生じてしまい、耐久性に問題が生じるケースもあることから、その部分の耐久性を確保することを目的としている。また、本実施の形態においては、水分の移行性等を考慮してその下層マットは上面側を下面側よりも細番手の糸で粗く織ったものとしてある。
【００３９】
さらに、繊維構成体を外部に引き出した図７の写真に示すように、下層マットに内装する吸水シートとして繊維構成体を用いている点も特徴としている。これは、洗濯後の脱水時において、遠心式脱水機を用いた場合は吸水シートが面状スポンジであっても充分に脱水可能であるものの、業務用に多い圧力式脱水機の場合には充分に脱水できない場合が多いことから、圧力式であっても充分に脱水できるように綿繊維を束にしてなる繊維構成体を採用したものである。
【００４０】
この場合、不織布も同様であるが、吸水シートに用いる繊維構成体は、スポンジほどではないが繊維間に空気を含みながら厚さ方向に適度な弾力性を有しているため、人が踏む動作で適度なポンプ機能を発揮して上層マットの水分を能動的に移行させる機能を発揮するとともに圧力で充分に脱水可能である。また、いったん吸引した水分が浸透作用により短時間で繊維の長手方向に拡散するため、上層マット側に戻りにくいという特徴も有している。
【００４１】
以上、述べたように、浴場やサウナ施設等で用いる水廻りマットについて、本考案により、優れた吸水性と良好な感触を確保しながら洗濯・乾燥に要する手間とコストを大きく軽減できるようになった。
【符号の説明】
【００４２】
１Ａ  水廻りマット、２  上層マット、３  下層マット、３ａ  吸水シート、３ｂ  保形シート、３ｃ  面状スポンジ、３ｄ  折り曲げ線、３０  袋体、３１  縫製部
【図１】
0003192357.tif 000003
【図２】
0003192357.tif 000004
【図３】
0003192357.tif 000005
【図４】
0003192357.tif 000006
【図５】
0003192357.tif 000007
【図６】
0003192357.tif 000008
【図７】
0003192357.tif 000009